(57)【要約】      （修正有）【課題】ストレッチ用ボールを水や温水に完全に浸漬することができるボールケースを提供する。【解決手段】２個のストレッチ用ボールＢＢ、ＳＢを収容可能なケース本体１０と、ケース本体１０の上端開口部を閉塞する蓋部材２０とを備えている。ケース本体１０は、２個のストレッチ用ボールをそれぞれ収容する収容領域と、各収容領域に収容されたストレッチ用ボールの他の収容領域への移動を規制する括れ部とを有しており、蓋部材２０は、所定の高さ位置まで水または温水が充填されたケース本体１０にストレッチ用ボールを収容した状態でケース本体１０の上端開口部を閉塞することで、水または温水に浮いた状態のストレッチ用ボールを収容領域の所定位置に位置決めしながら水中または温水中に押し下げる、押下位置決め部２５を有しており、押下位置決め部２５は、ケース本体１０の上端部に当接する周縁基板２１よりも下方側に突出している。【選択図】図７
0003210338.tif 000002
【実用新案登録請求の範囲】
【請求項１】
ゴムまたは合成樹脂によって形成された弾力性を有する中空のボール本体の内部にジェル状または液状の充填材が充填されたストレッチ用ボールを加熱する際に使用するボールケースであって、
上端開口部を有する、複数個のストレッチ用ボールを収容可能なケース本体と、前記ケース本体の上端開口部を閉塞する蓋部材とを備え、
前記ケース本体は、複数個のストレッチ用ボールをそれぞれ収容する複数の収容領域と、各収容領域に収容されたストレッチ用ボールの他の収容領域への移動を規制する移動規制部とを有しており、
前記蓋部材は、所定の高さ位置まで水または温水が充填された前記ケース本体にストレッチ用ボールを収容した状態で前記ケース本体の上端開口部を閉塞することで、水または温水に浮いた状態のストレッチ用ボールを収容領域の所定位置に位置決めしながら水中または温水中に押し下げる押下位置決め部を有しており、
前記押下位置決め部は、前記ケース本体の上端部に当接する周縁部よりも下方側に突出していることを特徴とするボールケース。
【考案の詳細な説明】
【技術分野】
【０００１】
この考案は、リラクセーションや筋力トレーニングとして使用することができるストレッチ用ボールを加熱する際に使用するボールケースに関する。
【背景技術】
【０００２】
この種のストレッチ用ボールは、特許文献１に示すように、ゴムまたは合成樹脂によって形成された弾力性を有する中空のボール本体の内部にジェル状または液状の充填材が充填されており、その上に身体の部位を載せたり、身体の部位に当てたりすることによって、筋肉や関節をほぐすことができると共に、指先でボールを繰り返し握り締めることによって、握力トレーニングにも使用することができる。
【０００３】
ところで、こういったストレッチ用ボールは、常温の状態で使用するだけでなく、加熱することによって暖めた状態で使用することも可能であるが、電子レンジで直接加熱すると劣化し易いので、水に浸漬した状態で電子レンジで加熱したり、温水や熱湯に浸漬して加熱することが望ましい。
【先行技術文献】
【特許文献】
【０００４】
【特許文献１】特開２０１４−９０９０１号公報
【考案の概要】
【考案が解決しようとする課題】
【０００５】
しかしながら、温水（熱湯）を充填した一般的な容器にストレッチ用ボールを収容しても、ストレッチ用ボールが浮き上がってしまうので、均一に加熱することができないといった問題がある。また、水に浸漬した状態で電子レンジで加熱する場合は、浮き上がって水面から出た部分が電子レンジで直接加熱されることになり、劣化しやすいという問題もある。
【０００６】
そこで、この考案の課題は、ストレッチ用ボールを水や温水に完全に浸漬することができるボールケースを提供することにある。
【課題を解決するための手段】
【０００７】
上記の課題を解決するため、請求項１に係る考案は、ゴムまたは合成樹脂によって形成された弾力性を有する中空のボール本体の内部にジェル状または液状の充填材が充填されたストレッチ用ボールを加熱する際に使用するボールケースであって、上端開口部を有する、複数個のストレッチ用ボールを収容可能なケース本体と、前記ケース本体の上端開口部を閉塞する蓋部材とを備え、前記ケース本体は、複数個のストレッチ用ボールをそれぞれ収容する複数の収容領域と、各収容領域に収容されたストレッチ用ボールの他の収容領域への移動を規制する移動規制部とを有しており、前記蓋部材は、所定の高さ位置まで水または温水が充填された前記ケース本体にストレッチ用ボールを収容した状態で前記ケース本体の上端開口部を閉塞することで、水または温水に浮いた状態のストレッチ用ボールを収容領域の所定位置に位置決めしながら水中または温水中に押し下げる押下位置決め部を有しており、前記押下位置決め部は、前記ケース本体の上端部に当接する周縁部よりも下方側に突出していることを特徴とするボールケースを提供するものである。なお、ここにいう「温水」は、熱湯を含むものである。
【考案の効果】
【０００８】
以上のように、請求項１に係る考案のボールケースは、所定の高さ位置まで水または温水が充填されたケース本体にストレッチ用ボールを収容した状態でケース本体の上端開口部を蓋部材によって閉塞することで、ケース本体の上端部に当接する周縁部よりも下方側に突出している押下位置決め部が、水または温水に浮いた状態のストレッチ用ボールを収容領域の所定位置に位置決めしながら水中または温水中に押し下げるので、ストレッチ用ボールを水中または温水中に完全に浸漬することができる。
【０００９】
また、このボールケースは、ケース本体が、複数個のストレッチ用ボールをそれぞれ収容する複数の収容領域と、各収容領域に収容されたストレッチ用ボールの他の収容領域への移動を規制する移動規制部とを有しているので、ケース本体に収容したストレッチ用ボールは各収容領域に確実に収容されることになり、ケース本体に充填された水または温水に浮いた状態のストレッチ用ボールが、蓋部材の押下位置決め部によって、各収容領域の所定位置に確実に位置決めされる。
【図面の簡単な説明】
【００１０】
【図１】この考案に係るボールケースの一実施形態を示す平面図である。
【図２】同上のボールケースを示す側面図である。
【図３】同上のボールケースを構成しているケース本体を示す平面図である。
【図４】同上のボールケースを構成しているケース本体を示す側面図である。
【図５】同上のボールケースを構成している蓋部材を示す側面図である。
【図６】同上のボールケースを構成している蓋部材を示す底面図である。
【図７】図１のＸ−Ｘ線に沿った断面図である。
【図８】同上のケース本体から蓋部材を取り外した状態を示す断面図である。
【考案を実施するための形態】
【００１１】
以下、実施の形態について図面を参照して説明する。図１、図２、図７及び図８は、ゴムまたは合成樹脂によって形成された弾力性を有する中空のボール本体の内部にジェル状または液状の充填材が充填された大小２種類のストレッチ用ボールＢＢ、ＳＢを加熱する際に使用するボールケース１を示している。このボールケース１は、同図に示すように、上端開口部を有する、２個のストレッチ用ボールＢＢ、ＳＢを収容可能なケース本体１０と、このケース本体１０の上端開口部を閉塞する蓋部材２０とから構成されており、ケース本体１０及び蓋部材２０はポリプロピレン樹脂によって形成されている。
【００１２】
前記ケース本体１０は、図３、図４、図７及び図８に示すように、並列的に配置された、大きいストレッチ用ボールＢＢより一回り大きい２つの収容領域ｒ、ｒを取り囲むような平面視瓢箪形状の胴部１１と、この胴部１１の上端部から外側に張り出したフランジ部１２と、大きいストレッチ用ボールＢＢに沿うように、各収容領域ｒに対応する部分がそれぞれ半球状に湾曲した底部１３と、底部１３の外表面における各収容領域ｒに対応する半球状に湾曲した部分に連設された支持脚１４とを備えており、胴部１１の括れ部１１ａが、一方の収容領域ｒに収容されたストレッチ用ボールＢＢ、ＳＢの他方の収容領域ｒへの移動を規制する移動規制部を構成している。なお、底部１３の内表面における各収容領域ｒに対応する半球状に湾曲した部分には、何らかの理由でストレッチ用ボールＢＢ、ＳＢが水中に沈んだ場合を想定して、沈んだストレッチ用ボールＢＢ、ＳＢが底部１３の内周面に直接接触して加熱が妨げられることがないように、沈んだストレッチ用ボールＢＢ、ＳＢを底部１３の内表面から僅かに離反させるために、１２０゜の角度を開けて放射状に伸びる３本の突条１５がそれぞれ突設されている。
【００１３】
前記胴部１１の外周面には、収容する大きいストレッチ用ボールＢＢまたは小さいストレッチ用ボールＳＢに応じて、充填する水または温水の量を示す水位ラインＢＬ、ＳＬが表示されており、この水位ラインＢＬまたは水位ラインＳＬまで水または温水を充填した状態では、大きいストレッチ用ボールＢＢまたは小さいストレッチ用ボールＳＢを水中または温水中に完全に浸漬することができ、浸漬した状態で水または温水がケース本体１０から溢れ出ないようになっている。
【００１４】
前記蓋部材２０は、図１、図５〜図８に示すように、ケース本体１０のフランジ部１２の外形と略同一形状を有しており、ケース本体１０のフランジ部１２に当接する周縁基板２１と、この周縁基板２１の下面に連設された、ケース本体１０の内周面に嵌合する環状の内側垂下部２２と、周縁基板２１の外縁における対向位置に部分的に連設された、内側垂下部２２との間にケース本体１０のフランジ部１２を部分的に挟み込む外側垂下部２３、２３と、周縁基板２１の内縁に連接された周縁基板２１よりも下方側に窪んだ凹状部２４と、この凹状部２４の下面における各収容領域ｒに対応する部分にそれぞれ連設された押下位置決め部２５、２５とを備えている。
【００１５】
前記外側垂下部２３の内面には、胴部１１のフランジ部１２に形成された係止部１２ａに係止されることで、蓋部材２０を閉塞状態に保持する係止爪２３ａが設けられており、周縁基板２１の外縁には、ケース本体１０の上端開口部を閉塞状態に保持した蓋部材２０をケース本体１０から取り外す際に摘まむ舌片２６が各収容領域ｒに対応する部分にそれぞれ連設されている。
【００１６】
前記押下位置決め部２５は、６０゜の角度を開けて放射状に伸びる６つの押下げ片２５ａによって構成されており、それぞれの押下げ片２５ａの下端縁はストレッチ用ボールＢＢ、ＳＢの表面に略沿うように、円弧状に湾曲している。従って、所定の高さ位置まで水または温水が充填されたケース本体１０の収容領域ｒにストレッチ用ボールＢＢまたはストレッチ用ボールＳＢを収容した状態でケース本体１０の上端開口部を蓋部材２０によって閉塞すると、下方側に突出した押下位置決め部２５の各押下げ片２５ａが、水または温水に浮いた状態のストレッチ用ボールを収容領域ｒの所定位置（中心位置）に案内しながら、図７に示すように、最終的に収容領域ｒの所定位置（中心位置）に位置決めした状態で水中または温水中に押し下げるようになっている。
【００１７】
以上のように、このボールケース１は、所定の高さ位置まで水が充填されたケース本体１０にストレッチ用ボールＢＢまたはストレッチ用ボールＳＢを収容した状態でケース本体１０の上端開口部を蓋部材２０によって閉塞すると、ストレッチ用ボールＢＢまたはストレッチ用ボールＳＢを水中に完全に浸漬することができるので、水にストレッチ用ボールＢＢまたはストレッチ用ボールＳＢが浸漬した状態のボールケース１を電子レンジによって加熱することで、ストレッチ用ボールＢＢまたはストレッチ用ボールＳＢを劣化しにくい状態で均一かつ確実に加熱することができる。
【００１８】
また、所定の高さ位置まで熱湯が充填されたケース本体１０にストレッチ用ボールＢＢまたはストレッチ用ボールＳＢを収容した状態でケース本体１０の上端開口部を蓋部材２０によって閉塞した状態で放置することによっても、ストレッチ用ボールＢＢまたはストレッチ用ボールＳＢを劣化しにくい状態で均一かつ確実に加熱することができる。
【００１９】
また、このボールケース１は、ケース本体１０の各収容領域ｒに収容されたストレッチ用ボールＢＢまたはストレッチ用ボールＳＢは、胴部１１の括れ部１１ａによって他の収容領域ｒへの移動が規制され、ケース本体１０に収容したストレッチ用ボールＢＢまたはストレッチ用ボールＳＢは各収容領域ｒに確実に収容されると共に、ケース本体１０に充填された水または温水に浮いた状態のストレッチ用ボールが、蓋部材２０の押下位置決め部２５によって各収容領域ｒの所定位置（中心位置）に位置決めされ、水中または温水中に確実に浸漬されるので、ストレッチ用ボールＢＢまたはストレッチ用ボールＳＢを水または温水に浸漬するために意識しながら作業を行う必要がなく、取扱性及び作業性がよい。
【００２０】
なお、上述した実施形態では、２個のストレッチ用ボールを収容可能なボールケースについて説明したが、これに限定されるものではなく、３個以上のストレッチ用ボールを収容可能なボールケースについても、本考案を適用することができることはいうまでもない。
【００２１】
また、上述した実施形態では、容器本体１０の胴部１１に括れ部１１ａを設けることで、各収容領域ｒに収容されたストレッチ用ボールの他の収容領域ｒへの移動を規制しているが、これに限定されるものではなく、例えば、隣接する収容領域の境界部分に張り出す隔壁を胴部１１の内周面に連設したり、各収容領域を相互に連通可能な隔壁によって完全に区画するようにしてもよい。
【産業上の利用可能性】
【００２２】
本考案は、リラクセーションや筋力トレーニングとして使用することができるストレッチ用ボールを加熱する際に利用することができる。
【符号の説明】
【００２３】
１  ボールケース
１０  ケース本体
１１  胴部
１１ａ  括れ部
１２  フランジ部
１２ａ  係止部
１３  底部
１４  支持脚
１５  突条
２０  蓋部材
２１  周縁基板
２２  内側垂下部
２３  外側垂下部
２３ａ  係止爪
２４  凹状部
２５  押下位置決め部
２５ａ  押下げ片
２６  舌片
ＢＢ  ストレッチ用ボール（大）
ＢＬ  水位ライン
ＳＢ  ストレッチ用ボール（小）
ＳＬ  水位ライン
ｒ  収容領域
【図１】
0003210338.tif 000003
【図２】
0003210338.tif 000004
【図３】
0003210338.tif 000005
【図４】
0003210338.tif 000006
【図５】
0003210338.tif 000007
【図６】
0003210338.tif 000008
【図７】
0003210338.tif 000009
【図８】
0003210338.tif 000010